(57)【特許請求の範囲】
【請求項１】
単一の携帯情報端末で外部照度に応じた映像を表示する、映像の視認性を向上させる装置であって、
映像の入力を受ける映像入力モジュールと、
外部照度を感知する照度感知モジュールと、
前記入力された映像に対し前記感知された外部照度に基づいて、輝度補正及び彩度補正のそれぞれの後にブルー系の色相の補正を施すことで第１色域から第２色域に色域マッピングし、前記入力された映像を補償する視認性補償モジュールと、
前記補償された映像を前記単一の携帯情報端末で表示する映像出力モジュールと、
を含むことを特徴とする映像の視認性を向上させる装置。
【請求項２】
前記第１色域は暗室条件での色域であり、前記第２色域は高照度環境での色域である、
ことを特徴とする請求項１記載の映像の視認性を向上させる装置。
【請求項３】
前記視認性補償モジュールは、
前記入力された映像の映像情報を暗室環境での画面特性を考慮し、前記色域マッピングのための色空間座標に変換させる第１色空間変換モジュールと、
前記変換された映像情報に対し前記第１色域から前記第２色域に色域マッピングを行う色域マッピングモジュールと、
前記色域マッピングされた映像情報を前記感知された外部照度に基づいて、ユーザに表示するための映像に変換させる第２色空間変換モジュールと、
を含むことを特徴とする請求項１又は２記載の映像の視認性を向上させる装置。
【請求項４】
前記第２色空間変換モジュールは、前記第１色空間変換モジュールによる変換過程を逆に行う、
ことを特徴とする請求項３記載の映像の視認性を向上させる装置。
【請求項５】
前記色域マッピングモジュールは、前記第１色域での映像情報に対し明るさと彩度を強化させる、
ことを特徴とする請求項３記載の映像の視認性を向上させる装置。
【請求項６】
前記第１色域での映像の明るさ情報が黒の明るさ情報を有する場合、視認性確保が可能な明るさに向上させる、
ことを特徴とする請求項５記載の映像の視認性を向上させる装置。
【請求項７】
前記第１色域での映像に対する彩度の強化程度を異にする、
ことを特徴とする請求項５記載の映像の視認性を向上させる装置。
【請求項８】
前記色域マッピングモジュールは、前記第１色域での映像情報に対し色相情報を補正する、
ことを特徴とする請求項３記載の映像の視認性を向上させる装置。
【請求項９】
前記色域マッピングモジュールは、前記ブルー系の色相値を減少させ、補正する、
ことを特徴とする請求項１記載の映像の視認性を向上させる装置。
【請求項１０】
単一の携帯情報端末で外部照度に応じた映像を表示する、映像の視認性を向上させる装置であって、
入力された映像に対し外部照度に基づいて、輝度補正及び彩度補正のそれぞれの後にブルー系の色相の補正を施すことで第１色域から第２色域に色域マッピングする色域マッピングモジュールと、
前記色域マッピングされた映像を前記単一の携帯情報端末で表示する映像出力モジュールと、
を含むことを特徴とする映像の視認性を向上させる装置。
【請求項１１】
前記第１色域は暗室条件での色域であり、前記第２色域は高照度環境での色域である、
ことを特徴とする請求項１０記載の映像の視認性を向上させる装置。
【請求項１２】
単一の携帯情報端末で外部照度に応じた映像を表示する、映像の視認性を向上させる方法であって、
映像の入力を受ける（ａ）段階と、
外部照度を感知する（ｂ）段階と、
前記入力された映像に対し前記感知された外部照度に基づいて、輝度補正及び彩度補正のそれぞれの後にブルー系の色相の補正を施すことで第１色域から第２色域に色域マッピングする（ｃ）段階と、
前記色域マッピングされた映像を前記単一の携帯情報端末で表示する（ｄ）段階と、
を含むことを特徴とする映像の視認性を向上させる方法。
【請求項１３】
前記第１色域は暗室条件での色域であり、前記第２色域は高照度環境での色域である、
ことを特徴とする請求項１２記載の映像の視認性を向上させる方法。
【請求項１４】
前記（ｃ）段階は、
前記入力された映像の映像情報を暗室環境での画面特性を考慮し、前記色域マッピングのための色空間座標に変換させる（ｃ−１）段階と、
前記変換された映像情報に対し前記第１色域から前記第２色域に色域マッピングを行う（ｃ−２）段階と、
前記色域マッピングされた映像情報を前記感知された外部照度に基づいてユーザに表示するための映像に変換させる（ｃ−３）段階と、
を含むことを特徴とする請求項１２又は１３記載の映像の視認性を向上させる方法。
【請求項１５】
前記（ｃ−２）段階は、前記第１色域での映像情報に対し明るさと彩度を強化させ、色域マッピングを行う、
ことを特徴とする請求項１４記載の映像の視認性を向上させる方法。
【請求項１６】
前記第１色域での映像の明るさ情報が黒の明るさ情報を有する場合、視認性確保が可能な明るさに向上させる、
ことを特徴とする請求項１５記載の映像の視認性を向上させる方法。
【請求項１７】
前記第１色域での映像に対する彩度強化程度を異にする、
ことを特徴とする請求項１５記載の映像の視認性を向上させる方法。
【請求項１８】
前記（ｃ−２）段階は、前記第１色域での映像情報に対し色相情報を補正する段階をさらに含む、  
ことを特徴とする請求項１５記載の映像の視認性を向上させる方法。
【請求項１９】
前記ブルー系の色相値が減少し、補正される、
ことを特徴とする請求項１２記載の映像の視認性を向上させる方法。
【請求項２０】
単一の携帯情報端末で外部照度に応じた映像を表示する、映像の視認性を向上させる方法であって、
入力された映像に対し外部照度に基づいて、輝度補正及び彩度補正のそれぞれの後にブルー系の色相の補正を施すことで第１色域から第２色域に色域マッピングする段階と、
前記色域マッピングされた映像を前記単一の携帯情報端末で表示する段階と、
を含むことを特徴とする映像の視認性を向上させる方法。
【請求項２１】
前記第１色域は暗室条件での色域であり、前記第２色域は高照度環境での色域である、
ことを特徴とする請求項２０記載の映像の視認性を向上させる方法。
【請求項２２】
単一の携帯情報端末で外部照度に応じた映像を表示する、映像の視認性を向上させる装置であって、
輝度補正及び彩度補正のそれぞれの後にブルー系の色相の補正を施すことで外部照度に応じて入力映像の明るさと彩度を強化してブルー系の色相を補正するように、前記入力映像の映像情報に対応する高照度環境での映像情報が設定されたＬＵＴを生成するＬＵＴ生成モジュールと、
前記生成されたＬＵＴを利用して入力される映像の映像情報を前記高照度環境での映像情報にマッピングする映像マッピングモジュールと、
を含むことを特徴とする映像の視認性を向上させる装置。
【請求項２３】
前記映像マッピングモジュールは、前記生成されたＬＵＴに前記入力される映像の映像情報に対応する映像情報が設定されない場合には隣接する映像情報を補間してマッピングする、
ことを特徴とする請求項２２記載の映像の視認性を向上させる装置。
【請求項２４】
単一の携帯情報端末で外部照度に応じた映像を表示する、映像の視認性を向上させる方法であって、
輝度補正及び彩度補正のそれぞれの後にブルー系の色相を補正を施すことで外部照度に応じて入力映像の明るさと彩度を強化してブルー系の色相を補正するように、前記入力映像の映像情報に対応する高照度環境での映像情報が設定されたＬＵＴを生成する（ａ）段階と、
前記生成されたＬＵＴを利用して入力される映像の映像情報を前記高照度環境での映像情報にマッピングする（ｂ）段階と、
を含むことを特徴とする映像の視認性を向上させる方法。
【請求項２５】
前記（ｂ）段階は、前記生成されたＬＵＴに前記入力される映像の映像情報に対応する映像情報が設定されない場合に隣接する映像情報を補間してマッピングする段階を含む、
ことを特徴とする請求項２４記載の映像の視認性を向上させる方法。
【発明の詳細な説明】
【技術分野】
【０００１】
本発明は映像の視認性向上に関するものであって、より詳細にはデジタルカメラ、カメラ付き携帯電話、ビデオカメラ等のような装置が高照度環境で映像を提供する場合に映像の視認性を向上させることに関する発明である。
【背景技術】
【０００２】
一般的に携帯電話、ＰＤＡ等のような個人用携帯端末機のディスプレイ画面はユーザが見たいと思うコンテンツをいつ、どこででも見ることができるという機能を提供するとともに、「携帯性」、「移動性」という特性によって多様な周囲環境で使用されるという特性を有する。
【０００３】
しかし、個人用携帯端末機のディスプレイ画面で表示される映像は照度、色相温度等のような周囲環境の影響を受け、同一な映像であるとしても周囲環境ともない異なって見える。特に、晴れた日の野外でのようにディスプレイ画面の明るさより周囲の照度がはるかに高い場合にはディスプレイ画面に表示される映像の視認性が急激に落ちる。
【０００４】
ところで、このような視認性の低下は個人用携帯端末機が有する多様な長所を減殺する一つの要因として作用することがある。
【０００５】
したがって、周囲環境が変わってもディスプレイ画面で表示される映像の視認性が維持されるようにし、特に高照度の周囲環境で映像の視認性が低下しないようにする必要性が生じた。
【特許文献１】韓国公開特許第１９９９−０００１２２号公報
【発明の開示】
【発明が解決しようとする課題】
【０００６】
本発明は物理的な一つのディスプレイ装置内で色域マッピング（ｇａｍｕｔ  ｍａｐｐｉｎｇ）を行うことにより高照度環境で映像の視認性を向上させる装置および方法を提供することを目的とする。
【０００７】
本発明の目的は前述した目的に制限されず、言及されていないまた他の目的は後述の記載から当業者に明確に理解できるはずである。
【課題を解決するための手段】
【０００８】
前記目的を達成するため、本発明の実施形態による映像の視認性を向上させる装置は、映像の入力を受ける映像入力モジュールと、外部照度を感知する照度感知モジュールと、前記入力された映像に対し前記感知された外部照度に基づいて第１色域から第２色域に色域マッピングし、前記入力された映像を補償する視認性補償モジュールおよび前記補償された映像を出力する映像出力モジュールを含む。
【０００９】
また、前記目的を達成するため、本発明の実施形態による映像の視認性を向上させる装置は、入力された映像に対し外部照度に基づいて第１色域から第２色域に色域マッピングする色域マッピングモジュールおよび前記色域マッピングされた映像を出力する映像出力モジュールを含む。
【００１０】
また、前記目的を達成するため、本発明の実施形態による映像の視認性を向上させる装置は、外部照度に応じて入力映像の明るさと彩度を強化してブルー系の色相を補正するように、前記入力映像の映像情報に対応する高照度環境での映像情報が設定されたＬＵＴを生成するＬＵＴ生成モジュールおよび前記生成されたＬＵＴを利用して入力される映像の映像情報を前記高照度環境での映像情報としてマッピングする映像マッピングモジュールを含む。
【００１１】
また、前記目的を達成するため、本発明の実施形態による映像の視認性を向上させる方法は、映像の入力を受ける（ａ）段階と、外部照度を感知する（ｂ）段階と、前記入力された映像に対し前記感知された外部照度に基づいて第１色域から第２色域に色域マッピングする（ｃ）段階および前記色域マッピングされた映像を出力する（ｄ）段階を含む。
【００１２】
また、前記目的を達成するため、本発明の実施形態による映像の視認性を向上させる方法は、入力された映像に対し外部照度に基づいて第１色域から第２色域に色域マッピングする段階および前記色域マッピングされた映像を出力する段階を含む。
【００１３】
また、前記目的を達成するため、本発明の実施形態による映像の視認性を向上させる方法は、外部照度に応じて入力映像の明るさと彩度を強化してブルー系の色相を補正するように、前記入力映像の映像情報に対応する高照度環境での映像情報が設定されたＬＵＴを生成する（ａ）段階および前記生成されたＬＵＴを利用して入力される映像の映像情報を前記高照度環境での映像情報としてマッピングする（ｂ）段階を含む。
【００１４】
その他実施形態の具体的な事項は詳細な説明および図面に含まれている。
本発明の利点および特徴、そしてそれらを達成する方法は添付される図面と共に詳細に後述されている実施形態を参照すれば明確になるだろう。しかし、本発明は以下で開示される実施形態に限定されるものではなく互いに異なる多様な形態で具現され得、単に本実施形態は本発明の開示が完全なようにし、本発明が属する技術分野で通常の知識を有する者に発明の範疇を完全に知らせるために提供されているもので、本発明は請求項の範疇によってのみ定義される。
【発明の効果】
【００１５】
前述したような本発明による場合、ユーザは高照度環境でもディスプレイ画面に表れる映像の明るさおよび彩度が向上し、ブルー（Ｂｌｕｅ）系の色相が変わらないようにすることによって映像の視認性を確保できるという効果がある。
【発明を実施するための最良の形態】
【００１６】
以下、本発明の実施形態による高照度環境で映像の視認性を向上させる装置および方法を説明するためのブロック図または処理フローチャートに対する図面を参考にして、本発明に対して説明する。
【００１７】
この時、処理フローチャート図面の各ブロックとフローチャート図面の組合わせはコンピュータプログラムインストラクションによって実行できることが理解できるはずである。
【００１８】
これらコンピュータプログラムインストラクションは汎用コンピュータ、特殊用コンピュータまたはその他プログラム可能なデータプロセシング装備のプロセッサに搭載しえるため、コンピュータまたはその他プログラム可能なデータプロセシング装備のプロセッサにより行われるそのインストラクションがフローチャートブロックで説明された機能を行う手段を生成するようになる。
【００１９】
これらコンピュータプログラムインストラクションは特定方式で機能を具現するためにコンピュータまたはその他プログラム可能なデータプロセシング装備が備えられるコンピュータによって利用可能または読取可能なメモリに保存することも可能なため、そのコンピュータによって利用可能または読取可能なメモリに保存されたインストラクションはフローチャートブロックで説明された機能を行うインストラクション手段を含む製造品目を生産するのも可能である。
【００２０】
コンピュータプログラムインストラクションはコンピュータまたはその他プログラム可能なデータプロセシング装備上に搭載されることも可能なため、コンピュータまたはその他プログラム可能なデータプロセシング装備上で一連の動作段階が行われ、コンピュータで実行されるプロセスを生成し、コンピュータまたはその他プログラム可能なデータプロセシング装備の機能を行うインストラクションはフローチャートブロックで説明された機能を実行するための段階を提供することも可能である。
【００２１】
また、各ブロックは特定された論理的機能を実行するための一つ以上の実行可能なインストラクションを含むモジュール、セグメントまたはコードの一部を表しえる。
【００２２】
また、いくつかの代替実行形態ではブロックで言及された機能が順序から外れて行われることも可能であることに注目しなければならない。
【００２３】
例えば、続いて図示されている二つのブロックは実質的に同時に行われることも可能で、またはそのブロックが時々該当する機能により逆順に行われることも可能である。
【００２４】
一方、以下本明細書で使われる「高照度環境」という用語はディスプレイ画面で表示される映像が携帯用端末機外部の高い照度によりユーザが前記表示される映像をよく理解できなかったり、外部の高い照度によりユーザの立場では映像の歪み（例えば、色相、明度または彩度の変化）が発生したことと認識される環境を意味する。したがって、高照度環境は特定の値以上の照度を意味するものではなく映像の視認性が低下する照度環境を意味するものと理解しえる。
【００２５】
図１は本発明の一実施形態による映像の視認性を向上させる装置の構造を示すブロック図である。
図１を参照すれば、本発明による装置１００は映像入力モジュール１２０、照度感知モジュール１４０、視認性補償モジュール２００そして映像出力モジュール１６０を含む。
【００２６】
映像入力モジュール１２０は映像撮影のため撮像素子を含み、撮影された映像の入力を受ける。
照度感知モジュール１４０は装置１００外部の照度を感知する照度センサーを含み、感知された照度情報を視認性補償モジュール２００に提供する。
【００２７】
視認性補償モジュール２００は照度感知モジュール１４０により提供されていた照度情報に基づいて、映像入力モジュール１２０により入力された映像の視認性を補償する。
映像出力モジュール１６０は視認性補償モジュール２００により補償された映像を、ディスプレイ画面を通じてユーザに提供する。
【００２８】
この時、本発明に対する実施形態で使われる「モジュール」という用語はソフトウェア、ＰＧＡまたはＡＳＩＣのようなハードウェア構成要素を意味し、モジュールはある役割を遂行する。
【００２９】
ところでモジュールはソフトウェアまたはハードウェアに限定されるという意味ではない。モジュールはアドレッシングできる保存媒体にあるように構成しえるが、またはそれ以上のプロセッサを再生させるように構成されえる。
【００３０】
したがって、一形態としてモジュールはソフトウェア構成要素、オブジェクト指向ソフトウェア構成要素、クラス構成要素およびタスク構成要素のような構成要素と、プロセス、関数、属性、プロシーザ、サブルーチン、プログラムコードのセグメント、ドライバ、ファームウェア、マイクロコード、回路、データ、データベース、データ構造、テーブル、アレイ、および変化の要素を含む。
【００３１】
構成要素とモジュールのうちで提供される機能はさらに小さい数の構成要素およびモジュールに結合されたり追加的な構成要素とモジュールにさらに分離しえる。それだけでなく、構成要素およびモジュールはデバイスまたは保安マルチメディアカード内の一つまたはそれ以上のＣＰＵを再生させるように具現されえる。
【００３２】
映像入力モジュール１２０により入力された映像が視認性補償モジュール２００に伝達されれば、視認性補償モジュール２００は照度感知モジュール１４０から受信した照度情報を利用し、前記入力された映像の情報を補正することによって映像の視認性を向上させる。
【００３３】
この時、視認性補償モジュール２００はすでに設定された二つの環境での色域情報を含んでおり、前記二つの色域間のマッピングにより、前記入力された映像の視認性を向上させる。すなわち、一つの物理的な装置内で映像を表示するディスプレイ画面に対する２種類の色域情報が存在するのである。ここで、前記２種類の色域情報は暗室条件での色域情報と高照度環境での色域情報であることが好ましい。
【００３４】
図２は本発明の一実施形態による視認性補償モジュールの構造を示すブロック図である。
図２を参照すれば、視認性補償モジュール２００は第１色空間変換モジュール２１０、色域マッピングモジュール２２０そして第２色空間変換モジュール２３０を含む。
【００３５】
第１色空間変換モジュール２１０は映像入力モジュール１２０により入力された映像に関する映像情報を色域マッピングのための色空間上の座標に変換する。
【００３６】
色域マッピングモジュール２２０は照度感知モジュール１４０により提供されている照度情報を利用し、第１色空間変換モジュール２１０により変換された映像情報を高照度環境でも視認性が確保されるように色域マッピングする。
【００３７】
第２色空間変換モジュール２３０は照度感知モジュール１４０により提供されている照度情報を利用し、前記色域マッピングされた映像情報を、映像出力モジュール１６０によって、ユーザに見せるための映像に変換する。
【００３８】
図２に図示された視認性補償モジュールの具体的な動作を図３に図示されたフローチャートを利用して具体的に説明する。
【００３９】
まず第１色空間変換モジュール２１０は入力映像の映像情報を色域マッピングのための色空間上の座標に変換するのが、（Ｓ３１０）ないし（Ｓ３３０）でその例を示している。
【００４０】
すなわち、入力映像がＲＧＢ映像情報からなる場合、前記ＲＧＢ映像情報をＣＩＥＸＹＺ色空間上の座標に変換する（Ｓ３１０）。この時、暗室条件でのディスプレイ画面に対するＣＩＥＸＹＺ特性が反映され、座標変換が行われ、このようなＣＩＥＸＹＺ特性の例としてガンマ（ｇａｍｍａ）特性、側色特性などがある。
【００４１】
そして、ＣＩＥＸＹＺ色空間上の座標をＣＩＥＬａｂ色空間上の座標に変換するが（Ｓ３２０）、この時、暗室条件でのディスプレイ画面に対するホワイト（ｗｈｉｔｅ）ＸＹＺ特性が反映される。
【００４２】
ＣＩＥＬａｂ色空間上の座標は、改めてＬＣＨ（Ｌｉｇｈｔｎｅｓｓ、Ｃｈｒｏｍａ、Ｈｕｅ）色空間上の座標に変換される（Ｓ３３０）。
【００４３】
入力された映像の映像情報が最終的にＬＣＨ色空間上の座標に変換された後、色域マッピングモジュール２２０は照度感知モジュール１４０により感知された照度情報を利用し、変換された映像情報に対する色域マッピングを行う（Ｓ３４０）。
この時、本発明では二つの環境での色域が設定されており、これを図４に図示している。
【００４４】
図４を参照すれば、本発明による装置でのディスプレイ画面に対する色域は暗室条件での色域４３０と高照度環境での色域４１０があり、色域マッピングモジュール２２０は暗室条件の色域４３０での任意の画素を高照度環境での色域４１０にマッピング４２０するようになる。
【００４５】
このようなマッピング４２０はＬＣＨ色空間で明るさ、彩度および色相を調節することによって行われ、具体的な方法は図５ないし図８に図示されている。
【００４６】
図５を参照すれば、まず色域マッピングモジュール２２０はＬＣＨ色空間上での映像情報に対し明るさを強化する（Ｓ５１０）。すなわち、輝度を増加させるのを意味し、具体的には図６に図示されたグラフを利用し、明るさを強化しうる。
【００４７】
図６を参照すれば、横軸と縦軸は各々明るさＬに対し０（黒色）から１００（白色）まで表されたものであるが、例えばＬＣＨ色空間上での任意の画素に対する明るさ情報が０である場合、該当する画素の明るさ情報を６０に向上させるようになる。
【００４８】
また、本発明による明るさ強化特性はＬＣＨ色空間上での任意の画素に対する明るさ情報が０より大きくなる場合、縦軸上の明るさ情報が６０の位置から徐々に増加する特性を有するようになる。
【００４９】
ここではＬＣＨ色空間上での任意の画素に対する明るさ情報が０の場合、該当する画素の明るさ情報Ｌｏｕｔを６０としたが、本発明ではこれに限定されず、視認性確保が可能なＬｏｕｔならば本発明の範疇に属するものと理解しえる。
【００５０】
明るさが強化されれば輝度が上昇するようになり、この場合、一般的にユーザが知覚するブルー系の色相が変わるようになるため、色域マッピングモジュール２２０はブルー系の色相を補正するようになる（Ｓ５２０）。
【００５１】
色相補正方法は図７に図示されたグラフを利用できるが、図７を参照すれば横軸の色相値が２００から３２０間に存在する色相がブルー系の色相である。
縦軸の明るさ情報が０から１００までスケーリングされ表示されている。
【００５２】
例えば色相値が３００に該当するグラフ曲線７１０を見れば、明るさが１００の場合には約２７０の色相値に対応することを知ることができる。
【００５３】
すなわち、色相値が３００に該当する画素情報は色相値を２７０と補正することによって明るさを強化してもユーザの立場ではブルー系の色相に歪みが発生しないようにしたものである。
【００５４】
図７に図示されたグラフを見れば明るさが増加するほどブルー系の色相値が減少することを知ることができる。
前記のような色相補正後、彩度を強化するが（Ｓ５３０）、彩度を強化する方法は図８に図示されたグラフを利用しえる。
【００５５】
図８を参照すれば、横軸は任意の画素に対する彩度値を０から１００間でスケーリングし各々の画素に対する相対的な彩度強化値を縦軸に表している。
図８では彩度の強化のために使用可能なグラフの例を示したものであり、強化程度は映像の視認性が確保されるように実験によって得ることができる。
【００５６】
彩度向上のためのグラフは図８に図示されたものだけでなく、彩度向上により映像の視認性確保が可能なようにするグラフならば、本発明への適用が可能である。
【００５７】
前記のような方法により彩度を強化した後、彩度強化によりブルー系の色相に歪みが発生しうるため色域マッピングモジュール２２０は（Ｓ５２０）段階のようにもう一度色相補正を行う（Ｓ５４０）。
それから明るさ、彩度および色相が補正された入力映像の画素情報が図４に図示された高照度環境での色域４３０境界内に存在するかを検査し、暗室条件での色域４１０と高照度環境での色域４３０の間でマッピング４２０が正しく行われたのかを確認する。
【００５８】
前記のような方式により入力された映像に対する色域マッピングがなされれば色域マッピングがなされたＬ’Ｃ’Ｈ’色空間上の座標をＣＩＥＬ’ａ’ｂ’色空間上の座標に変換する（Ｓ３５０）。
【００５９】
それから、ＣＩＥＬ’ａ’ｂ’色空間上の座標をＣＩＥＸ’Ｙ’Ｚ’色空間上の座標に変換するが（Ｓ３６０）、この時、高照度環境でのディスプレイ画面に対するＣＩＥＸ’Ｙ’Ｚ’特性が反映され、座標変換がなされ、このようなＣＩＥＸ’Ｙ’Ｚ’特性の例としてガンマ特性、側色特性などがある。
【００６０】
それから、ＣＩＥＸ’Ｙ’Ｚ’色空間上の座標をＲ’Ｇ’Ｂ’映像情報に変換し、視認性が補正されたＲＧＢ映像を出力するようになる。
Ｒ’Ｇ’Ｂ’映像情報に変換する時、高照度環境でのディスプレイ画面に対するホワイトＸ’Ｙ’Ｚ’特性が反映される。
【００６１】
一方、本発明では入力された映像に対する色域マッピングを行い、視認性が向上した映像を得るために第１色空間変換モジュール２１０および第２色空間変換モジュール２３０により色座標が変換されるが、前述した変換過程は一つの実施形態であって、第１色空間変換モジュール２１０は暗室条件でのディスプレイ画面の特性を反映し入力された映像を色域マッピングのための色空間座標に変換させる機能を提供するモジュールとして理解され得、第２色空間変換モジュール２３０は第１色空間変換モジュール２１０で行われる色座標変換が逆に行われるようにする機能を提供するモジュールとして理解され得る。
【００６２】
図９は本発明の他の実施形態による視認性補償モジュールの構造を示すブロック図である。
図９に図示された視認性補償モジュール９００は図１に図示された視認性補償モジュール２００に対応するものであって、図９での視認性補償モジュール９００はＬＵＴ生成モジュール９１０と映像マッピングモジュール９２０を含む。
【００６３】
ここで、ＬＵＴ生成モジュール９１０は照度情報に基づいて図１０に図示されたような、ルックアップテーブル（Ｌｏｏｋｕｐ  Ｔａｂｌｅ；ＬＵＴ）のようなＬＵＴを生成することができるが、この時ＲＧＢ  ＬＵＴは明るさにおいて黒色（ｂｌａｃｋ  ｃｏｌｏｒ）の値を向上させつつ、全体輝度を向上させ、彩度も向上させる特性を有している。
【００６４】
ＲＧＢ  ＬＵＴの例として、図６ないし図８に図示されたように明るさと彩度を向上させ、ブルー系の色相を補正する特性を有するＲＧＢ  ＬＵＴであるのが好ましい。
【００６５】
映像マッピングモジュール９２０はＬＵＴ生成モジュール９１０により生成されたＲＧＢ  ＬＵＴを利用し、入力映像のＲＧＢ映像情報を高照度環境での映像情報にマッピングする。
【００６６】
万一、前記生成されたＲＧＢ  ＬＵＴに入力映像のＲＧＢ映像情報に対応する映像情報が設定されない場合には隣接する映像情報を補間してマッピングするようにし、この時の補間は従来の補間方法を利用することができる。
【００６７】
以上添付された図面を参照し、本発明の実施形態を説明したが、本発明が属する技術分野で通常の知識を有する者は本発明がその技術的思想や必須的な特徴を変更せず、他の具体的な形態として実施されるということを理解し得るはずである。したがって前述した実施形態はすべての面で例示的なものであり、限定的ではないものと理解しなければならない。
【図面の簡単な説明】
【００６８】
【図１】本発明の一実施形態による映像の視認性を向上させる装置の構造を示すブロック図である。
【図２】本発明の一実施形態による視認性補償モジュールの構造を示すブロック図である。
【図３】本発明の一実施形態による映像の視認性を向上させる方法を示すフローチャートである。
【図４】本発明の一実施形態による色域マッピングを示す図である。
【図５】本発明の一実施形態による色域をマッピングする方法を示すフローチャートである。
【図６】本発明の一実施形態による明るさを強化するためのグラフを示す図である。
【図７】本発明の一実施形態による色相を補正するためのグラフを示す図である。
【図８】本発明の一実施形態による彩度を強化するためのグラフを示す図である。
【図９】本発明の他の実施形態による視認性補償モジュールの構造を示すブロック図である。
【図１０】本発明の他の実施形態によるルックアップテーブルを示す図である。
【符号の説明】
【００６９】
１２０      映像入力モジュール
１４０      照度感知モジュール
１６０      映像出力モジュール
２００      視認性補償モジュール
２１０      第１色空間変換モジュール
２２０      色域マッピングモジュール
２３０      第２色空間変換モジュール
【図１】
0005383995.tif 000002
【図２】
0005383995.tif 000003
【図３】
0005383995.tif 000004
【図４】
0005383995.tif 000005
【図５】
0005383995.tif 000006
【図６】
0005383995.tif 000007
【図７】
0005383995.tif 000008
【図８】
0005383995.tif 000009
【図９】
0005383995.tif 000010
【図１０】
0005383995.tif 000011